(57)【要約】本発明は断熱材の両面に金属板材を重畳して作られたサンドイッチパネルのような板材を切断して裁断する携帯用パネル切断機に関し、特に切断刀（１０）と、上記切断刀を牽引する牽引手段（２０）と、上記牽引手段（２０）を駆動する駆動手段（６０）とで構成され、上記切断刀の切断刃部（１４）を別途に設けて着脱可能に結合するように構成するので、切断刃部の摩耗や破損の時、切断刃部の補修及び部分的に交換して使用することができ、経済性及び切断効率性を極大化し、上記駆動手段としてモーターの代わりに汎用の専用ドリルを装着して用いるので、優れた携帯性を提供することを特徴とする。【選択図】図９
2013523467.tif 000002
【特許請求の範囲】
【請求項１】
上部固定部（１１）と下部断熱材の切断部（１２）との間に前方へ開口された開口部（１３）を形成して、前記開口部の内側に金属板材を切断する切断刃部と、前記開口部の下部に金属板材を案内する支持部（１５）とを形成する切断刀（１０）と、
前記切断刀の両側に設置される歯車（２１）（２１）の回転駆動によって金属板材を移動させる牽引手段（２０）と、
前記牽引手段の歯車を減速機（６２）の前方の駆動軸（６３）に軸結合して回転駆動させる駆動手段（６０）によって、断熱材の両面に金属板材を重畳して形成したサンドイッチパネルのような板材を切断して裁断する携帯用パネル切断機において、
前記切断刀（１０）の開口部（１３）の内側に装着部（１７）を貫通して形成し、前記装着部に対応する形状に形成され、前方に切断刃（１４１）を形成する切断刃部（１４）を別途に設けて前記装着部に着脱可能に結合してなることを特徴とする携帯用パネル切断機。
【請求項２】
前記切断刀の装着部（１７）には内側へ固定突起（１８）を少なくとも一つ突出して形成して、切断刃部（１４）の後方固定面（１４２）を強制的に結合する方式で密着するように固定してなることを特徴とする請求項１に記載の携帯用パネル切断機。
【請求項３】
前記切断刀の支持部（１５）には内側に金属板材（７０）を水平に案内するための水平面（１５ｂ）と外側入口の傾斜面（１５ａ）及び前記傾斜面から断熱材の切断部（１２）の末端まで金属板材（７０）を案内するためのラウンド形態の曲線面（１５ｃ）を形成してなることを特徴とする請求項１に記載の携帯用パネル切断機。
【請求項４】
前記駆動手段（６０）は減速機（６２）の後方に汎用の電動ドリル（９０）を着脱可能に結合して駆動するように構成され、前記電動ドリル（９０）のドリル軸（９５）が減速機（６２）の軸溝（６５）に挿入して設置されることによって装着して、電動ドリルの駆動力で減速機の前方駆動軸（６３）を回転駆動するようにすることを特徴とする請求項１に記載の携帯用パネル切断機。
【発明の詳細な説明】
【技術分野】
【０００１】
本発明は工事現場で建築用パネル、即ち、スチロフォーム、発砲ウレタンまたはガラスウールなどの断熱材の両面に金属板材を重畳して作られたサンドイッチパネルのような板材を切断して裁断するように用いる携帯用パネル切断機に関し、さらに詳しくは、駆動手段として、モーターの代わりに減速機に汎用の電動ドリルを装着して用いるので、さらに簡便に携帯できるとともに、金属板材を切断する切断刀の切断刃部を別途に設けて着脱可能にして用いるので、摩耗や破損の時、切断刃部の補修及び部分的に交換して使用することができるので、経済性及び切断効率性を極大化する携帯用パネル切断機に関する。
【背景技術】
【０００２】
一般に、工事現場で建築用パネル、即ち、スチロフォーム、発砲ウレタンまたはガラスウールなどの断熱材の両面に金属板材を重畳して作られたサンドイッチパネルのような板材を切断して裁断するために切断機を使っている。
【０００３】
このような切断機は、韓国実用新案登録第２０−３２３３６２号「刃型サンドイッチパネル電動切断機」のように、一対の上、下部円板刃と、上記上、下部円板刃を回転駆動させる駆動モーターと、上記駆動モーターを移動させる移動手段と、上記上、下部円板刃の回転と駆動モーターの移動を制御する制御装置などで構成されて、上、下部円板刃が高速回転しながらサンドイッチパネルなどを切断する。このような切断機は、高速回転する上、下部円板刃の切断摩擦音による騷音が大きく、切断機のサイズが大きくて工事現場で携帯して使うことが困難であるという問題点があった。
【０００４】
このような問題点を解決するために、韓国実用新案登録第２０−０３５６０４４号「サンドイッチパネル切断機」と韓国公開特許公報公開番号第１０−２００５−９４９７８号「サンドイッチパネル切断機」では、比較的に簡単な構造を提供して、切断作業による騷音も従来に比べて著しく減少するなどの効果を得ているが、切断作業の時、切断装置を駆動する動力装置がないため、作業量が多い場合にはたくさんの力が必要となり、切断装置が案内レールに乗って移動しなければならないため、直線に切断するしかなく、曲線への切断が難しく、上記案内レールなどが備えられているため、長さが長く、全体的に重くて取り扱いが不便な問題点があった。
【０００５】
このような従来の切断機の問題点を改善するために、本出願人は先願において韓国登録特許第１０−０９１７１２５号「携帯用パネル切断機」を出願して登録されたことがある。これは、図１乃至図３に示すように、切断刀１と、切断刀１を牽引する牽引手段２と、この牽引手段２を駆動する駆動手段６とで構成され、切断刀１は、上部固定部１ａと、下部断熱材切断部１ｂと、上記固定部と断熱材の切断部との間に前方に開口される開口部１ｃと、開口部の内側に形成された金属板材切断刃部１ｄと、上記開口部の下部に形成された支持部１ｅとで構成され、牽引手段２は切断刀の両側で駆動手段６によって回転駆動される一対の歯車２ａで構成され、駆動手段６は減速機７に一体に結合されたモーター８の駆動力を減速駆動するように構成した。
【０００６】
このような本出願人の先出願及び登録された切断機は、駆動手段６のモーター８の駆動によって一対の歯車２ａを回転させて、上記歯車がサンドイッチパネル７０の金属板材７１を移動させながら切断刃部１ｄによって切断する。
【０００７】
この時、上記切断刀の下部断熱材切断部１ｂがサンドイッチパネル７２の断熱材７２を一緒に切断する。
【０００８】
このように、サンドイッチパネル７１を上下に引っ繰り返して、上、下部の金属板材７１、７１を切断して裁断する。
【０００９】
しかし、上記した本出願人によって先出願及び登録された技術は以下のような問題点があった。
【００１０】
第一に、上記切断刀１の金属板材の切断刃部１ｄは、金属板材の繰り返し切断過程で、刃が容易に鈍くなるか、損傷される。また、上記切断刃部が切断刀に一体に形成されているため、切断刃部の刃を再び研ぐ補修作業が不便であるとともに、切断刃部の部分的交換が困難で、切断刀を全体的に交換して使わなければならないことから非経済的な問題点があった。
【００１１】
第二に、上記切断刀１の支持部１ｅは水平形態に前方入口に単純な傾斜部１ｆのみを形成するため、サンドイッチパネル７０の金属板材７１に凹凸７５が形成されている場合、図３のように、切断刀が金属板材の凹凸７５部分に沿って上部に上昇して切断する時、上記切断刀の支持部１ｅの前方末端が金属板材の上部に上昇して位置するようになって、上記切断刀の前方が金属板材にかけられて金属板材を継続的に案内することができなくなって、切断作業を継続することが困難であるという問題点があった。
【００１２】
第三に、上記駆動手段６は減速機７に重量が重く、体積の大きいモーター８を一体に結合して使うため切断機の携帯、運搬が不便であるとともに、切断作業の時にも作業に大きい不便をもたらす問題点があった。
【先行技術文献】
【特許文献】
【００１３】
【特許文献１】韓国実用新案登録第２０−３２３３６２号
【特許文献２】韓国実用新案登録第２０−０３５６０４４号
【特許文献３】韓国公開特許公報第１０−２００５−９４９７８号
【特許文献４】韓国登録特許第１０−０９１７１２５号
【発明の概要】
【発明が解決しようとする課題】
【００１４】
本発明は前述した従来技術及び本出願人によって先出願及び登録された技術が有する諸般問題点を解決するために発明されたもので、金属板材を切断する切断刀の切断刃部を別途に設けて着脱可能にして用いるので、切断刃部の摩耗や破損の時、切断刃部の補修及び部分的に交換して使用することができるので、従来のように切断刀の全体を交換するのに比べて費用を顕著に低減することができるので、経済性を極大化することにその目的がある。
【００１５】
本発明は駆動手段として減速機にモーターの代わりに汎用の電動ドリルを着脱可能にして用いるので、重量が重く、体積の大きいモーターを使わなくて、携帯、運搬の便利性はもちろん、切断作業の時にも優れた作業性を提供することにその目的がある。
【００１６】
本発明は上記切断刀の支持部の前方部分をラウンド形態に形成して、金属板材、特に凹凸形態の金属板材を切断する時、支持部が金属板材を効果的に案内しながら、継続的に切断作業を行うことができて、優れた切断作業性を提供することにその目的がある。
【課題を解決するための手段】
【００１７】
このような本発明は、上部固定部と下部断熱材の切断部との間に前方へ開口された開口部を形成して、上記開口部の内側に金属板材を切断する切断刃部と、上記開口部の下部に金属板材を案内する支持部を形成する切断刀と、上記切断刀の両側に設置される歯車の回転駆動によって金属板材を移動させる牽引手段と、上記牽引手段の歯車を減速機の前方の駆動軸に軸結合して回転駆動させる駆動手段によって、断熱材の両面に金属板材を重畳して形成したサンドイッチパネルのような板材を切断して裁断するようにし、上記切断刀の開口部の内側に装着部を貫通して形成し、上記装着部に対応する形状に形成され、且つ前方に切断刃を形成する切断刃部を別途に設けて上記装着部に着脱可能に結合するようにすることをその特徴とする。
【００１８】
本発明の上記切断刀の装着部には内側へ固定突起を少なくとも一つ突出して形成して、切断刃部の後方固定面を強制的に結合する方式で密着するように固定することをその特徴とする。
【００１９】
本発明は、上記切断刀の支持部には内側に金属板材を水平に案内するための水平面と外側入口の傾斜面及び上記傾斜面から断熱材の切断部の末端まで金属板材を案内するためにラウンド形態の曲線面を形成するようにすることを特徴とする。
【００２０】
本発明の上記駆動手段は、減速機の後方に汎用の電動ドリルを着脱可能に結合して駆動するように構成する。上記電動ドリルのドリル軸が減速機の軸溝に挿入して設置されることによって装着して電動ドリルの駆動力で減速機の前方駆動軸を回転駆動するようにすることを特徴とする。
【発明の効果】
【００２１】
このような本発明は、金属板材を切断する切断刀の切断刃部を別途に設けて着脱可能に結合して用いるので、切断刃部の摩耗や破損の時、切断刃部の補修及び部分的に交換して用いることが可能であるので、従来のように、切断刀の全体を交換するのに比べて、費用を顕著に低減することができるので、経済性を極大化するようになり、駆動手段として減速機にモーターの代わりに汎用の電動ドリルを着脱可能に用いるようにするので、重量が重くて、体積の大きいモーターを使わなくて、携帯、運搬が便利になるとともに、切断作業の時にも優れた作業性を提供する効果を奏する。
【００２２】
また、上記切断刀の支持部の前方部分をラウンド形態に形成して、金属板材、特に凹凸形態の金属板材の切断の時、支持部が金属板材を効果的に案内しながら継続的に切断作業を行うことができて、優れた切断作業性を提供する効果を奏する。
【図面の簡単な説明】
【００２３】
【図１】本出願人によって先出願された携帯用パネル切断機の分解斜視図である。
【図２】図１の切断作動状態図である。
【図３】図１の切断作動状態図である。
【図４】本発明の携帯用パネル切断機の分解斜視図である。
【図５】本発明の切断刀の斜視図である。
【図６】本発明の切断刀の正面図である。
【図７】図６の「Ａ」部分の拡大図である。
【図８】本発明の携帯用電動ドリルの装着状態斜視図である。
【図９】本発明の切断作動状態図である。
【発明を実施するための形態】
【００２４】
以下、上述した本発明の好ましい実施例を添付図面を参照して具体的に説明する。
【００２５】
本発明の携帯用パネル切断機１００は、図４乃至図９に示すように、建築用パネル、即ち、スチロフォーム、発砲ウレタンまたはガラスウールなどの断熱材７２の両面に金属板材７１を重畳して作られたサンドイッチパネル７０のような板材を切断して裁断するために、切断刀１０と、上記切断刀を牽引する牽引手段２０と、牽引手段２０を駆動する駆動手段６０とで構成される。
【００２６】
切断刀１０は、上部固定部１１と、下部断熱材切断部１２と、固定部１１と断熱材の切断部１２との間に前方へ開口された開口部１３と、開口部１３の内側に金属板材を切断する切断刃部１４と、上記開口部の下部に金属板材を切断刃部に案内する支持部１５とを形成して構成される。
【００２７】
この時、上記切断刀の切断刃部１４は別途に設けて着脱可能に使うことができる着脱式に構成される。
【００２８】
即ち、開口部１３の内側に切断刃部１４を装着して収容することができるように、切断刃部に対応する形状に貫通される装着部１７と、上記装着部の一側に切断刃部を密着固定することができるように突出される少なくとも一つの固定突起１８を形成し、切断刃部１４は装着部に対応する形状に前方に切断刃１４１と後方に固定突起１８に密着固定される固定面１４２を形成して、上記装着部に強制的に結合される方式で着脱可能に結合するように構成される。
【００２９】
そして、切断刃部１４の切断刃１４１は水平線を基準に鋭角に形成して、切断される金属板材の鋭い部分がパネルの内側に向けるように切断されるように構成される。
【００３０】
また、上記切断刀の支持部１５は内側に金属板材７０を水平に案内するための水平面１５ｂと、外側入口の傾斜面１５ａ及び上記傾斜面から断熱材切断部１２の末端まで金属板材７０を案内するためのラウンド形態の曲線面１５ｃを形成して構成される。
【００３１】
また、牽引手段２０は駆動手段６０の減速機６２の前方駆動軸６３に軸結合されて回転駆動する一対の歯車２１、２１で形成される。一対の歯車２１、２１は切断刀の両側で支持部１５の上部に位置するように設置し、上記歯車の鋸歯２１ａの下方末端部が少なくとも支持部１５より下に位置するように設置して、上記歯車が回転駆動しながら金属板材を移動させて牽引するように構成される。
【００３２】
そして、歯車２１、２１は一対の間隔保持具３０とカバー４０によって囲まれて保護され、切断刀１０、間隔保持具３０、カバー４０はブラケット５０と一緒に駆動手段６０の減速機６２に締結部材で固設されるように構成される。
【００３３】
また、ブラケット５０には本発明のパネル切断機を便利に取り扱うために、別途の取っ手５１が設置される。
【００３４】
また、駆動手段６０は減速機６２の後方に汎用の電動ドリル９０を着脱可能に結合して駆動するように構成する。電動ドリル９０のドリル軸９５が減速機６２の軸溝６５に挿入設置されることによって装着して電動ドリルの駆動力で減速機の前方駆動軸６３を減速回転させて牽引手段２０を駆動するように構成される。
【００３５】
この時、減速機６２は通常の構造を有するもので、内部減速ギアのギア比を調整することで牽引手段２０の駆動力を調節するように構成される。
【００３６】
また、本発明は、図面に図示しないが、切断刀１０の中央に形成された円板孔１６に軸孔を有する円板を結合して、上記軸孔に減速機の前方の駆動軸６３が挿入された状態で回転作動するので、減速機の駆動軸の回転による破損を防止するように支持構成される。
【００３７】
未説明符号として、６３ａは減速機の前方の駆動軸に牽引手段の歯車の軸孔２１ａをキー結合するために形成されるキー溝を示す。
【００３８】
次は上記のように構成される本発明の作動及び作用について説明する。
【００３９】
まず、本発明は電動ドリル９０のドリル軸９５を減速機６２の後方の軸溝６５に挿入して電動ドリルを装着する。
【００４０】
このような状態で電動ドリル９０を作動させると、上記電動ドリルの回転駆動力が減速機６２に減速された状態で前方駆動軸６３を駆動させて牽引手段の歯車２１、２１を回転させる。
【００４１】
このような状態でサンドイッチパネル７０を切断して裁断する。
【００４２】
即ち、上記牽引手段の歯車２１、２１が図９のように矢印方向に回転しながら歯車の鋸歯２１ａがサンドイッチパネルの上部金属板材７１を移動させる。
【００４３】
このように牽引手段の歯車２１、２１によって牽引されるサンドイッチパネルの上部金属板材７１は切断刀１０の支持部１５に案内されながら、開口部１３に挿入されて上記開口部の内側の切断刃部１４前方の切断刃１４１によって切断される。
【００４４】
特に、上記サンドイッチパネルの金属板材７１に凹凸７５部分が形成された場合に、上記切断刀１０が凹凸部分に沿って上昇しながら切断される。上記切断刀の支持部１５が外側入口の傾斜面１５ａの部分から断熱材の切断部１２の末端までラウンド形態の曲線面１５ｃを形成するので、上記切断刀１０が上昇された位置でも支持部１５の前方が金属板材７１の下部に位置しながら金属板材を継続的に案内して、切断作業を連続的に行うことができる。
【００４５】
このように、上記切断刀の切断刃部１４によってサンドイッチパネルの金属板材７１を切断するとともに、上記切断刀１０の下部の断熱材の切断部１２はサンドイッチパネルの断熱材７２を切断するようになる。
【００４６】
このようにして上記サンドイッチパネルの上部金属板材７１の切断が完了されると、上記サンドイッチパネル７０を引っ繰り返して下部金属板材７１を前述したような方法で切断刀１０によって再び切断して裁断する。
【００４７】
一方、上記した本発明は、切断刀１０の切断刃部１４によってサンドイッチパネルの金属板材を繰り返し切断する過程で切断刃部の切断刃１４１が鈍くなるか損傷される場合に、上記切断刀の装着部１７で切断刃部１４を外力によって分離して補修または部分的に交換して使うことになる。
【００４８】
この時、上記補修及び部分的に交換される切断刃部１４は再び切断刀１０の装着部１７に強制的に結合して装着される。上記装着部の一側の固定突起１８が切断刃部の後方固定面１４２に密着するように固定されて、強制的に結合するように組み立てて使う。
【００４９】
従って、本発明は駆動手段としてモーターの代わりに減速機に汎用の電動ドリルを装着して用いることによって、さらに簡便に携帯できるとともに、切断刀の切断刃部を別途に設けて、サンドイッチパネルのような金属板材の切断過程で、摩耗や破損の時、切断刃部の補修及び部分的に交換して使用することができ、切断刀の支持部の構造を改善することで金属板材を効果的に案内して連続的に切断作業が行うことができる。
【図１】
2013523467.tif 000003
【図２】
2013523467.tif 000004
【図３】
2013523467.tif 000005
【図４】
2013523467.tif 000006
【図５】
2013523467.tif 000007
【図６】
2013523467.tif 000008
【図７】
2013523467.tif 000009
【図８】
2013523467.tif 000010
【図９】
2013523467.tif 000011
【国際調査報告】
2013523467.tif 000012
2013523467.tif 000013
2013523467.tif 000014
2013523467.tif 000015